(57)【特許請求の範囲】
【請求項１】
処理流路の中途に、原水を浄化する浄水部と、同浄水部からの浄水をアルカリ性水と酸性水とに電解する電解部とを設け、非電解の浄水と電解水とを選択的に取水可能とした整水器において、電解部の陰極室から第１取水流路を伸延させるとともに、陽極室から第２取水流路を伸延させ、両流路の中途同士を浄水用バイパス流路により連通連結し、しかも、同浄水用バイパス流路に開閉弁を設け、さらに前記第２取水流路における浄水用バイパス流路との連通部よりも下流側に流量制限可能な流路絞り手段と第２開閉弁を取付け、流路絞り手段は、前記第２開閉弁の上流側と下流側とを連通連結した絞り流路からなることを特徴とする整水器。
【請求項２】
浄水部を着脱自在のカートリッジ式として、同浄水部に代えてカートリッジ式の電解促進剤収納部を処理流路に接続可能としたことを特徴とする請求項１に記載の整水器。
【発明の詳細な説明】
【０００１】
【発明の属する技術分野】
この発明は、処理流路の中途に、原水を浄化する浄水部と、同浄水部からの浄水をアルカリ性水と酸性水とに電解する電解部とを設け、非電解の浄水と電解水とを選択的に取水可能とした整水器に関するものである。
【０００２】
【従来の技術】
従来、原水を浄化する浄水部と、同浄水部からの浄水を電解する電解部とを具備し、飲用に適するるアルカリ性水（アルカリイオン水）と、肌を引き締める効果があり、洗顔用などに適する弱酸性水（アストリンゼン水）と、非電解の浄水のみを必要に応じて選択的に生成可能とした整水器があった。
【０００３】
この種の整水器Ｘは、概ね図６に示す構成となっている。
【０００４】
すなわち、上記整水器Ｘは、ケーシング100に原水を流入させる導水管200を設け、同導水管200に、残留塩素やトリハロメタンなどの飲用に好ましくない物質を除去可能な中空糸膜や活性炭などを収納した浄水槽300を連通連結し、さらに、同浄水槽300に、送水管400を介して、酸性水を生成する陽極室510とアルカリ性水を生成する陰極室520とを隔膜5 30を介して区画形成した電解槽500を配設している。
【０００５】
そして、前記陰極室520に第１取水管710を連通連結して、アルカリ性水を取水可能とする一方、前記陽極室510に取水管720を連通連結し、酸性水を取水可能としている。
【０００６】
なお、図中、540は陽極室510内に設けた陽極、550は陰極室520に設けた陰極、600は前記浄水槽300から電解槽500へ送水される浄水中にカルシウム分を添加するカルシウムタンクである。また、800は前記送水管400と取水管720との間を連通した連通管であり、中途に開閉弁900を設け、同開閉弁900を開いたときに、整水器Ｘ内の滞留水を排出可能としている。
【０００７】
【発明が解決しようとする課題】
ところが、上記した従来の整水器Ｘは、浄水のみを取水する場合、その約半分の量が前記取水管720から排水されることになるので、節水上好ましくなかった。
【０００８】
そこで、例えば特開平９−１０３７８４号公報に開示されている整水器では、図５における第１取水管710と取水管720とをバイパス管で連通連結するとともに、同バイパス管にバイパス弁を設け、さらに、取水管720の中途に排水弁を設けて、電解水を取水する場合は、バイパス弁を閉じて排水弁を開き、非電解の浄水のみを取水する場合は、バイパス弁を開き、排水弁を閉じるようにしている。
【０００９】
かかる構成により、非電解の浄水のみを取水する場合でも、無駄な排水はなくなり、節水に十分な効果を奏するものとなっている。
【００１０】
しかし、かかる構成では、排水弁が故障した場合の備えがないために、万一排水弁が閉弁状態で故障した場合、飲用のためにアルカリ性水を取水しようとすると酸性水が第１取水口に流出する結果になり、アルカリ性水に酸性水が混ざってしまうおそれがある。
【００１１】
本発明は、上記課題を解決することができ、かつ節水効果のある整水器を提供することを目的としている。
【００１２】
【課題を解決するための手段】
上記課題を解決するために、請求項１記載の本発明では、処理流路の中途に、原水を浄化する浄水部と、同浄水部からの浄水をアルカリ性水と酸性水とに電解する電解部とを設け、非電解の浄水と電解水とを選択的に取水可能とした整水器において、電解部の陰極室から第１取水流路を伸延させるとともに、陽極室から第２取水流路を伸延させ、両流路の中途同士を浄水用バイパス流路により連通連結し、しかも、同浄水用バイパス流路に開閉弁を設け、さらに前記第２取水流路における浄水用バイパス流路との連通部よりも下流側に流量制限可能な流路絞り手段と第２開閉弁を取付け、流路絞り手段は、前記第２開閉弁の上流側と下流側とを連通連結した絞り流路からなることとした。
【００１７】
さらに、請求項２記載の本発明では、上記浄水部を着脱自在のカートリッジ式として、同浄水部に代えてカートリッジ式の電解促進剤収納部を処理流路に接続可能とした。
【００１８】
【発明の実施の形態】
本発明は、処理流路の中途に、原水を浄化する浄水部と、同浄水部からの浄水をアルカリ性水と酸性水とに電解する電解部とを設け、非電解の浄水と電解水とを選択的に取水可能とした整水器において、電解部の陰極室から第１取水流路を伸延させるとともに、陽極室から第２取水流路を伸延させ、両流路の中途同士を浄水用バイパス流路により連通連結し、しかも、同浄水用バイパス流路に開閉弁を設けたものである。
【００１９】
すなわち、上記したように浄水機能と電解機能とを有し、主に第１取水流路から取水するように構成した整水器において、浄水を取水する際には開閉弁を開くことで、第１取水流路からほとんどの浄水を取水できるようにするとともに、第２取水流路から排水される浄水の量を可及的に減じている。
【００２０】
特に、上記第２取水流路に流量制限可能な流路絞り手段を設けることでより確実に第２取水流路の流量を制限でき、浄水のほとんどを第１取水流路から得ることができる。
【００２１】
また、上記したように、処理流路の中途に、原水を浄化する浄水部と、同浄水部からの浄水をアルカリ性水と酸性水とに電解する電解部とを設け、非電解の浄水と電解水とを選択的に取水可能とし、電解部の陰極室から第１取水流路を伸延させるとともに、陽極室から第２取水流路を伸延させた上記構成の整水器において、開閉弁を設けることなく、前記第２取水流路に流量制限可能な流路絞り手段を設けるだけでも同様な作用効果を得ることができる。
【００２２】
すなわち、浄水を得ようとした場合、第２取水流路の流量を制限して絞るようにしておくだけで、第２取水流路の抵抗は大きくなるので、大部分の浄水を第１取水流路から得ることができ、第２取水流路から排水される浄水の量を可及的に減じることができる。
【００２３】
ところで、上記流路絞り手段としては、流路を全開した開位置と、流路をわずかに開いた閉位置とで二者択一的に弁動作する弁機構より構成することができ、同弁機構の弁体動作としては、非電解の浄水取水時に閉位置となり、電解水の取水時に開位置となるようにすることができる。また、第１取水流路と第２取水流路とを開閉弁を介して浄水用バイパス流路により連通連結した前述の構成のものにおいては、第２取水流路に設けた弁機構は、開閉弁の開時に閉位置となり、開閉弁の閉時に開位置となる。
【００２４】
かかる構成とすれば、簡単な流路構成で節水が図れるとともに、弁機構が万一故障しても、第２取水流路は完全に閉塞した状態とはならないので、例えば、弁機構の故障時に電解水を取水しても、酸性水がアルカリ性水に混ざるおそれがない。
【００２５】
また、他の実施形態として、第２取水流路における浄水用バイパス流路との連通部よりも下流側に第２開閉弁を取付け、流路絞り手段は、前記第２開閉弁の上流側と下流側とを連通連結した絞り流路から構成することもできる。
【００２６】
かかる構成においても、節水が図れるとともに、第２開閉弁が閉状態から動かなくなるような故障が万一生じても、酸性水がアルカリ性水に混じったりするおそれがない。
【００２７】
ところで、上記浄水部を着脱自在のカートリッジ式として、同浄水部に代えてカートリッジ式の電解促進剤収納部を処理流路に接続可能とした構成とすることもできる。
【００２８】
かかる整水器とすれば、浄水、もしくは飲料用のアルカリ性水を必要とする通常の使用時には浄水用カートリッジを取付けておき、殺菌・消毒などに供される衛生水として強酸性水が必要な場合は、浄水用カートリッジに代えて電解促進用カートリッジを取付けて強酸性水を得ることができる。
【００２９】
このように構成することで、節水が図れるとともに、コンパクトな単一のケーシングで、通常の電解水（浄水を電解した水）と衛生水（強酸性水）とを生成可能な高機能な整水器の提供が可能となる。
【００３０】
【実施例】
以下、この発明の実施例を図面に基づき具体的に説明する。
【００３１】
図１及び図２は本実施例に係る整水器Ａの正面側からの説明図、図２は背面側からの説明図、図３は同整水器Ａの模式的な流路説明図である。
【００３２】
図１及び図２に示すように、本実施例に係る整水器Ａは、水道水などの原水を処理する水処理部１を略箱型のケーシング２内に収納している。３は図示しない蛇口などに直結可能とした原水ホースであり、ケーシング２の底部から伸延している。４は水処理部１で処理した処理水を吐出する吐出ノズルであり、ケーシング２の上面に設けている。
【００３３】
水処理部１は、図３に示すように、前記原水ホース３の終端と接続した原水流入口30と前記吐出ノズル４の吐出口40とをパイプにより連通連結した処理流路Ｒを具備しており、同処理流路Ｒ中に、上流側から順にカートリッジ連結部５、浄水部としての浄水用カートリッジ８、カルシウムケース６、電解部としての電解槽７を配設している。
【００３４】
また、図３において、R1はカートリッジ連結部５とカルシウムケース６とを連通連結する第１主流路、R2はカルシウムケース６と電解槽７とを連通連結する第２主流路、R3は電解槽７の陰極室71から伸延させ、前記吐出ノズル４と連通する第１取水流路としてのアルカリ性水流路、R4は電解槽７の陽極室72から伸延させた第２取水流路としての酸性水流路であり、これらの各流路R1〜R4により処理流路Ｒが形成される。
【００３５】
また、R5は前記第２主流路R2の中途と酸性水流路R4の中途とを連通連結した第１バイパス流路であり、中途にボール弁からなる逆止弁BVを設けている。そして、この第１バイパス流路R5の逆止弁BV上流側と前記第１主流路R1の中途とを第２バイパス流路R6で連通連結して、同第２バイパス流路R6と前記逆止弁BVを設けた第１バイパス流路R5とによって、処理流路Ｒ中の水抜きを行えるようにしている。
【００３６】
上記電解部としての電解槽７は、隔膜73により、通常はアルカリ性水を生成する陰極室71と、通常は酸性水を生成する陽極室72とに区画形成されており、陰極室71の上部に前記アルカリ性水流路R3の基端を連通連結するとともに、陽極室72の上部に前記酸性水流路R4を連通連結し、前記酸性水流路R4の先端開口74は、台所などのシンク（図示せず）などに臨むように伸延させている。7aは陰電極、7bは陽電極である。
【００３７】
なお、前記各流路R1〜R5を実質的に形成する通水管を図１及び図２にr1〜r5で示している。
【００３８】
また、図１及び図２に示すように、ケーシング２内には、前記電解槽７へ通電する電源などを具備した電装部10と、同電装部10に電気的に接続され、ケーシング２の表面に設けられる操作・表示パネル（図示せず）の裏側に配設された基板11とを具備しており、操作・表示パネルに設けた各種スイッチの操作により、アルカリ性水モードと、酸性水モードと、衛生水モードと、浄水モードと、リフレッシュモードとに運転を切換可能としている。
【００３９】
ここで本実施例におけるアルカリ性水モードとは、飲用に適する３段階のpH値（8.5、9.0、9.5）のアルカリ性水と、料理用などに適するpH値10程度の強アルカリ性水とを生成可能なモードであり、必要に応じて適宜選択して使用可能としている。またこのとき、同時に生成される酸性水は酸性水流路R4の先端開口74から排出される。
【００４０】
また、酸性水モードとは、洗顔などに適するpH値5.5程度の酸性水を生成可能なモードである。
【００４１】
また、衛生水モードとは、殺菌・消毒用に供されるpH値2.5程度の強酸性水を生成可能なモードであり、かかる衛生水モードを選択した場合は、電解槽７への通電を正負逆転させるようにして、ケーシング２の上面に設けた吐出ノズル４から所望する強酸性水を吐出させるようにしている。このとき、同時に生成される強アルカリ性水は酸性水流路R4の先端開口74から排出される。
【００４２】
また、浄水モードとは、水道水中の残留塩素やトリハロメタンを除去することができるモードであり、さらに、リフレッシュモードとは、電解槽７への通電の正負を逆転させて逆電解により電解槽７内の洗浄を行うモードである。
【００４３】
また、本実施例では、前記ケーシング２に、前記カートリッジ連結部５が臨むカートリッジ配設空間Ｑを形成しており（図３〜図６参照）、同カートリッジ配設空間Ｑに、図１〜図６に示すように、内部に中空糸膜や活性炭などを収納した浄水用カートリッジ８を着脱自在に取付可能としている。
【００４４】
そして、例えば電解槽７内の電気伝導度を高めてよりpH値の高い強電解水を得るために、同浄水用カートリッジ８と、カートリッジ式電解促進剤収納部として、食塩などの塩素系電解物質を収納した電解促進用カートリッジ（図示せず）などの他の水処理用カートリッジとを、いずれか一方を選択的に取付けられるようにしている。そして、これらのカートリッジを介して、実質的に処理流路Ｒが形成されるようにして、浄水と強電解水とをそれぞれ別途に生成吐出可能としている。
【００４５】
かかる構成により、例えば図１〜図３に示すように、浄水用カートリッジ８をカートリッジ連結部５に取付けた場合、同カートリッジ連結部５内に設けた連絡流路51,52と浄水用カートリッジ８とが連通し、前記した操作・表示パネルでアルカリ性水モードや酸性水モード、あるいは、浄水モードを選択すれば、飲用や料理用に好適なアルカリ性水や洗顔などに適する酸性水、あるいは、水道水中に含まれる残留塩素やトリハロメタンなどが除去された浄水を得ることができる。
【００４６】
他方、浄水用カートリッジ８に代えて、前記した電解促進用カートリッジをカートリッジ連結部５に配設した場合は、上記同様にカートリッジ連結部５内に設けた連絡流路51,52と電解促進用カートリッジとが連通し、電解槽７に送られる原水中に食塩などが添加され、通常の酸性水よりもpH値の高い殺菌・消毒用に用いる強酸性水を得ることができるようにしている。
【００４７】
なお、本実施例では、電解促進用カートリッジがカートリッジ連結部５に配設された場合は、前記操作・表示パネルに衛生水モードであることを表示するようにして、飲用に適さない強酸性水を生成可能な状態にあることを使用者に認識させ、かかる状態で操作・表示パネルの衛生水モードを選択することによって、衛生水を得られるようにしている。
【００４８】
したがって、本実施例によれば、コンパクトな単一のケーシング２で、通常の電解水（浄水を電解した水）と衛生水（強酸性水）とを生成可能な高機能な整水器Ａとすることができる。
【００４９】
また、上記衛生水のような飲用することのない強酸性水を生成する場合には、不要である浄水用カートリッジ８は取り外されることになるので、浄水用カートリッジ８の無駄使いを防止でき、カートリッジ寿命をいたずらに縮めることがなくなる。しかも、もともと水道水は塩素などを含有して電解促進機能を有するものであり、かかる塩素などを浄水用カートリッジ８で除去しないで済むので電解作用が促進されることになり、強酸性水を生成する場合に浄水用カートリッジ８と電解促進用カートリッジとを置き換えることは極めて好都合なこととなる。
【００５０】
上記構成の整水器Ａにおいて、本実施例の特徴となるのは、電解槽７の陰極室71から伸延したアルカリ性水流路R3（アルカリ性水通水管r3）及び陽極室72から伸延させた酸性水流路R4（酸性水通水管r4）の中途同士を、図３に示すように、浄水用バイパス流路R7により連通連結し、しかも、同浄水用バイパス流路R7に開閉弁V1を設けたことにある。なお、図１及び図２においては、浄水用バイパス流路R7を浄水用バイパス管r7として示している。
【００５１】
かかる構成とすることにより、浄水を取水する際には、前記開閉弁V1を開くことで、アルカリ性水流路R3（アルカリ性水通水管r3）からほとんどの浄水を取水できるようにするとともに、酸性水流路R4（酸性水通水管r4）から排水される浄水の量を可及的に減じることができる。
【００５２】
酸性水流路R4については特に変更する必要はないが、より多量にアルカリ性水流路R3から浄水を得るようにするためには、酸性水流路R4における浄水用バイパス流路R7との連通部12よりも下流側に流路絞り手段を設けるとよい。
【００５３】
図３に示した例では、酸性水流路R4の中途に、流路絞り手段としての絞り流路R4'を設けた構成としている。
【００５４】
かかる構成とすることにより、アルカリ性水流路R3に開閉弁V1を取付けた簡単な流路構成で節水を図ることができる。
【００５５】
また、他の実施例として、図４に示すように、流路絞り手段を弁機構とすることもできる。
【００５６】
すなわち、電解槽７の陰極室71から伸延したアルカリ性水流路R3及び陽極室72から伸延させた酸性水流路R4の中途同士を、前述したように開閉弁V1を介して浄水用バイパス流路R7により連通連結するとともに、前記酸性水流路R4における浄水用バイパス流路R7との連通部12よりも下流側に、前記開閉弁V1の開時に流路を絞ることのできる弁機構を具備する特殊開閉弁V'を設けることができる。
【００５７】
同特殊開閉弁V'は、具備する弁体（図示せず）が流路を全開した開位置と、流路をわずかに開いた閉位置とで二者択一的に弁動作する弁機構により構成されており、同弁機構は、前記浄水用バイパス流路R7に設けた開閉弁V1の開時に閉位置となり、開閉弁V1の閉時に開位置となる弁動作を行うようにしている。
【００５８】
すなわち、通常の電解水、若しくは衛生水を得る場合は、開閉弁V1を閉じて、特殊開閉弁V'を全開状態とすることで、アルカリ性水流路R3からはアルカリ性水（衛生水モードの場合は強酸性水）が、酸性水流路R4からは酸性水（衛生水モードの場合は強アルカリ性水）が流出することになる。
【００５９】
一方、浄水モードを選択した浄水のみを取水する際には、開閉弁V1を開いて特殊開閉弁V'を閉じた状態、すなわち、わずかではあるが流水できる程度に開弁された状態にするようにして、アルカリ性流路R3からほとんどの浄水を取水できるようにするとともに、酸性水流路R4から排水される浄水の量を可及的に減じるようにしている。
【００６０】
かかる構成とすることにより、酸性水流路R4に特殊開閉弁V'を取付けた簡単な流路構成で節水が図れ、しかも、特殊開閉弁V'が万一故障したとしても、酸性水流路R4は完全に閉塞した状態とはならないので、例えば、特殊開閉弁V'の故障時にアルカリ性水などの電解水を取水しても、酸性水がアルカリ性水に混ざるおそれがない。
【００６１】
ところで、本実施例の変容例として、浄水用バイパス流路R7及び開閉弁V1を廃止した構成としてもよい。
【００６２】
この場合、通常の電解水、若しくは衛生水を得る場合は、特殊開閉弁V'を全開状態とするだけで、通常の整水器同様にアルカリ性水流路R3からはアルカリ性水（衛生水モードの場合は強酸性水）が、酸性水流路R4からは酸性水（衛生水モードの場合は強アルカリ性水）が流出することになる。
【００６３】
一方、浄水を得る場合は、特殊開閉弁V'を、流路をわずかに開いた閉位置とすればよい。すなわち、陽極室72から流出する浄水の流量はかなり絞られた状態で排水されることになり、結局はアルカリ性水流路R3からほとんどの浄水を取水することができる。そして、酸性水流路R4から排水される浄水の量は可及的に減じられ、節水が可能となるのである。
【００６４】
次に、さらなる他の実施例として、図５に示すような構成とすることもできる。なお、図５で使用した符号は、同一構成要素については図３及び図４と同一のものである。
【００６５】
すなわち、酸性水流路R4における浄水用バイパス流路R7との連通部12よりも下流側に第２開閉弁V2を取付け、流路絞り手段としては、前記第２開閉弁V2の上流側と下流側とを連通連結した絞り流路R8から構成したものである。
【００６６】
この場合、通常の電解水、若しくは衛生水を得る場合は、開閉弁V1を閉じて、第２開閉弁V2を全開状態とすることで、アルカリ性水流路R3からはアルカリ性水（衛生水モードの場合は強酸性水）が、酸性水流路R4からは酸性水（衛生水モードの場合は強アルカリ性水）が流出することになる。
【００６７】
一方、浄水を得る場合は、開閉弁V1を開いて第２開閉弁V2を閉じた状態、すなわち、浄水は絞り流路R8を通って排水されることになるので、流量はかなり絞られることになり、アルカリ性水流路R3からほとんどの浄水を取水することができるとともに、酸性水流路R4から排水される浄水の量を可及的に減じることができる。
【００６８】
したがって、本実施例においても、節水が図れるとともに、第２開閉弁V2が閉状態から動かなくなるような故障が万一生じても、酸性水がアルカリ性水に混じったりするおそれがない。
【００６９】
ところで、本実施例の変容例として、浄水用バイパス流路R7及び開閉弁V1を廃止した構成としてもよい。
【００７０】
この場合、通常の電解水、若しくは衛生水を得る場合は、単に第２開閉弁V2を全開状態とするだけで、通常の整水器同様にアルカリ性水流路R3からはアルカリ性水（衛生水モードの場合は強酸性水）が、酸性水流路R4からは酸性水（衛生水モードの場合は強アルカリ性水）が流出することになる。
【００７１】
一方、浄水を得る場合は、第２開閉弁V2を閉じればよい。すなわち、陽極室72から流出する浄水は絞り流路R8を通ることになるので、流量はかなり絞られた状態で排水されることになり、結局はアルカリ性水流路R3からほとんどの浄水を取水することができる。そして、酸性水流路R4から排水される浄水の量は可及的に減じられ、節水が可能となるのである。
【００７２】
【発明の効果】
(1)請求項１記載の本発明では、処理流路の中途に、原水を浄化する浄水部と、同浄水部からの浄水をアルカリ性水と酸性水とに電解する電解部とを設け、非電解の浄水と電解水とを選択的に取水可能とした整水器において、電解部の陰極室から第１取水流路を伸延させるとともに、陽極室から第２取水流路を伸延させ、両流路の中途同士を浄水用バイパス流路により連通連結し、しかも、同浄水用バイパス流路に開閉弁を設け、さらに前記第２取水流路における浄水用バイパス流路との連通部よりも下流側に流量制限可能な流路絞り手段と第２開閉弁を取付け、流路絞り手段は、前記第２開閉弁の上流側と下流側とを連通連結した絞り流路からなることにより、きわめて簡単な流路構成でありながら浄水を取水する際の節水が図れるとともに、第２開閉弁が閉状態から動かなくなるような故障が万一生じても、酸性水がアルカリ性水に混じったりするおそれがない。
【００７７】
(２)請求項２記載の本発明では、上記浄水部を着脱自在のカートリッジ式として、同浄水部に代えてカートリッジ式の電解促進剤収納部を処理流路に接続可能としたことにより、コンパクトな単一のケーシングで、通常の電解水（浄水を電解した水）と衛生水（強酸性水）とを生成可能な高機能な整水器の提供が可能となる。また、衛生水のような飲用することのない強酸性水を生成する場合には、浄水部は不要で取り外すことができるので、浄水部の無駄使いを防止でき、カートリッジ寿命をいたずらに縮めることがなくなる。
【図面の簡単な説明】
【図１】第１実施例に係る整水器の正面側説明図である。
【図２】同整水器の背面側説明図である。
【図３】同整水器の流路の模式的説明図である。
【図４】他の実施例にかかる整水器の流路の模式的説明図である。
【図５】他の実施例にかかる整水器の流路の模式的説明図である。
【図６】従来の整水器の説明図である。
【符号の説明】
Ａ  整水器
V1  開閉弁
V'  特殊開閉弁
V2  第２開閉弁
Ｒ  処理流路
R3  アルカリ性水流路(第１取水流路)
R4  酸性水流路(第２取水流路)
R7  浄水用バイパス流路（バイパス流路）
R8  絞り流路
２  ケーシング
７  電解槽（電解部）
８  浄水用カートリッジ（浄水部）
71  陰極室
72  陽極室
【図１】
0004718034.tif 000002
【図２】
0004718034.tif 000003
【図３】
0004718034.tif 000004
【図４】
0004718034.tif 000005
【図５】
0004718034.tif 000006
【図６】
0004718034.tif 000007